(57)【要約】【課題】拡径のための特別な工程が不要で、構造も簡素化することのできる基礎杭用鉄筋籠およびそれを用いた拡底部拡大配筋方法を提供する。【解決手段】直筒部主筋１と直筒部フープ筋２とからなる直筒部と、直筒部主筋１の下端に上部蝶番３によって回動自在に連結された拡開部主筋１−Ｋと、この拡開部主筋１−Ｋの中間部に結合され径が可変に形成された拡開部フープ筋６と、直筒部の直下に位置する孔底接地連動リング４と、この孔底接地連動リング４の周上に所定間隔で回動自在かつ放射状に結合された開閉伝達棒５と、この開閉伝達棒５の上端部と拡開部主筋１−Ｋの下端近傍との間を回動自在に連結する下部蝶番３−Ｔとを備えた基礎杭用鉄筋籠。孔底に着底する時の基礎杭用鉄筋籠１０全体の自重により荷重を加えられた拡開部が傘の骨組みの動線のように拡大することにより、拡底部分に自動的に配筋が行われる。【選択図】  図１
2005146577.tif 000002
【特許請求の範囲】
【請求項１】
直筒部主筋と直筒部フープ筋とからなる直筒部と、前記直筒部主筋の下端に上部蝶番によって回動自在に連結された拡開部主筋と、この拡開部主筋の中間部に結合され径が可変に形成された拡開部フープ筋と、前記直筒部の直下に位置する孔底接地連動リングと、この孔底接地連動リングの周上に所定間隔で回動自在かつ放射状に結合された開閉伝達棒と、この開閉伝達棒の上端部と前記拡開部主筋の下端近傍との間を回動自在に連結する下部蝶番とを備えたことを特徴とする基礎杭用鉄筋籠。
【請求項２】
前記拡開部フープ筋は、前記拡開部主筋に固定されたフープ仮固定金具で前記拡開部フープ筋の径が拡縮自在に結合されている請求項１記載の基礎杭用鉄筋籠。
【請求項３】
前記拡開部フープ筋の両開放端の重なり部がフープ筋ロック手段により移動自在に止着され、かつ、前記フープ筋ロック手段には、異形鉄筋で形成された前記拡開部フープ筋の凸条部に係合して縮径方向の移動を阻止する爪が形成されている請求項１または２記載の基礎杭用鉄筋籠。
【請求項４】
前記上部蝶番には、直筒部主筋と拡開部主筋との最大拡開角度を規制する角度固定手段を設けた請求項１〜３のいずれかの項に記載の基礎杭用鉄筋籠。
【請求項５】
請求項１〜４のいずれかの項に記載の基礎杭用鉄筋籠を用いた拡底部拡大配筋方法であって、
予め拡底部分を形成した孔内に、前記基礎杭用鉄筋籠を拡開部を縮径した状態で、吊り下げ、
前記孔底接地連動リングが孔底に着床したときに、前記基礎杭用鉄筋籠の自重が当該孔底接地連動リングに負荷されることにより前記上部蝶番と前記下部蝶番と前記開閉伝達棒の運動によって前記拡開部主筋および拡開部フープ筋を開かせ、
前記拡開部主筋および拡開部フープ筋を前記拡底部分に配筋することを特徴とする拡底部拡大配筋方法。
【発明の詳細な説明】
【技術分野】
【０００１】
本発明は、オールケーシング工法に用いられるケーシングチューブ等の円筒状ドリルの内部に設けられて周囲の地盤の掘削を行う拡開掘削装置および杭底拡大工法に関する。
【背景技術】
【０００２】
従来、地盤の硬度が高い場合や、または逆に軟らかい地盤で孔壁の崩壊の心配があるときは、オールケーシング工法が用いられている。
オールケーシング工法は、まず、全周回転機と、ケーシングチューブとを用いて掘削孔の全長にわたって揺動、回転、押し込みを行いながらケーシングチューブ内の土砂をハンマーグラブによって掘削、排土し、所定の深さまで掘削した後に、孔底処理を行う。そして、鉄筋籠を建て込み、トレミーによりコンクリートを打ち込み、コンクリート打ち込みに伴いケーシングチューブおよびトレミーを引き抜き、回収することにより基礎杭を構築する工法である。
オールケーシング工法によって構築される基礎杭は、ケーシングチューブより一回り小さい円筒状で、全周回転機は、ケーシングチューブの外周を把持して回転させるため、ケーシングチューブのそれぞれの直径に対応して設けられている。
【０００３】
基礎杭は、構築される建造物の大きさや地盤の状態によって必要な直径が異なるが、１つの現場に２種類の基礎杭を構築することは困難で、費用も増大する。ここで、基礎杭の下端部の直径を拡大して、支持強度を増大させる方法がある。また、円柱状の孔底を拡径するための装置も開発されている。
【０００４】
例えば、円筒状のケーソンの軸心に沿い、ケーソンの内部に投入されて、掘削刃を有して半径方向外側へ所要の開度にて拡開し、回転する拡開扉により穴底の土砂を掘削するドリリングバケットが開発されている（例えば、特許文献１参照。）。
【０００５】
また、外周に拡開翼を設けた円筒状の掘削ケーシングを用いて、ケーシングの下部を拡開させる拡底工法も開発されている（例えば、特許文献２参照。）。ケーシングを正方向に回転させたときは、拡径翼が閉じて小径の孔部を形成することができ、逆方向に回転させたときは、拡径翼が開いて大径の孔部を形成することができる。
このようにして拡径した孔部には円筒状の鉄筋籠が建て込まれる。
【０００６】
図７は従来の円筒状の鉄筋籠を建て込んだ拡底杭の底部の構造を示す断面図である。図において、２１は杭壁、２２は拡底部分、２３は縦方向の主筋２４と円形状のフープ筋２５からなる鉄筋籠、２６は杭軸、２７は支持層、２８は拡底幅、２９は無筋部分、３０は生コン被り厚、３１は傾斜角を示す。
このように、従来では、拡底部分２２については直の鉄筋籠２３では無筋部分２９が存在する。この拡底部分２２の剪断力に対応するためには、拡底傾斜角３１を緩やかにすることで剪断応力を分散していたが、鉄筋部分の強度には至らず、基礎杭の強度を高めるのに限界があった。
【０００７】
このような問題に対処するため、拡径した底部にも鉄筋を設ける工夫をしたものが各種提案されている。
例えば、特許文献３には、場所打鉄筋コンクリート拡底杭を構築するに当たり、杭拡幅部に位置する円筒状鉄筋籠に中空のリード管を井桁状に固設し、リード管に拡幅部鉄筋に固設したスライド鉄筋を摺動可能に遊挿した拡底杭用鉄筋籠を杭孔内に吊り降ろし、杭孔内で拡幅部鉄筋を拡開装置を用いて杭孔拡幅部に拡開した後、杭孔内にコンクリートを打設する方法が開示されている。
【０００８】
また、特許文献４には、場所打鉄筋コンクリート拡底杭を構築するに当たり、杭拡幅部に位置する円筒状鉄筋籠に支持部材を放射状に固設するとともに同位置に拡幅部鉄筋を放射状に配設し、支持部材に拡幅部鉄筋の中央部に固設したスライド部材を摺動可能に遊挿した拡底杭用鉄筋籠を杭孔内に吊り降ろし、杭孔内で拡幅部鉄筋を拡開装置を用いて杭孔拡幅部に拡開した後、杭孔内にコンクリートを打設する方法が開示されている。
【０００９】
特許文献５には、上部に屈曲先端部を形成した逆Ｌ字形よりなる複数の拡翼筋の各上端から幾分距離を取った屈曲側に支点リングを溶着するとともに、各屈曲先端部が円筒鉄筋籠の内側に支点リングを溶着するとともに、各屈曲先端部が円筒鉄筋籠の内側に向く状態で各支点リングをベルト筋に遊嵌して各支点リングが円筒鉄筋籠の外周を等間隔で囲繞した状態でベルト筋を円筒鉄筋籠の下端から立ち上げた各縦筋の所定位置に溶着し、各翼筋の垂下端部のそれぞれと、円筒鉄筋籠の下方に配設した環状ベースプレートの周部に沿って枢設された複数の連結筋のそれぞれとを各底掘削孔の直孔の内周より長く環状に形成したワイヤーあるいはチェーンを介して回動可能に連結するとともに、拡翼筋と連結筋とを等間隔で連結した位置でワイヤーあるいはチェーンに対して連結部の両側を挟んだ状態で位置ずれ防止手段を固設した拡底基礎部拡長鉄筋が開示されている。
【００１０】
特許文献６には、既製杭の下端に、中間軸着部を介して屈伸可能に連結された下端にフックを有する上部鉄筋と上端にフックを有する下部鉄筋とからなる鉄筋と、鉄筋間を結ぶ円周上に鉄筋と直交して設けたリング筋を挿通する短いパイプ状ジベルと、上端を情報端板に固定し下端を自由端とした鉄筋よりも短い鋼鉄製の支柱とを有する鉄筋籠を取り付けて、杭の荷重により支柱の下端が下方端板へ当接することで鉄筋を孔底拡開部内へ屈曲拡大させるとともに、支柱により杭孔内へ挿入された杭の荷重を支持するようにした地中拡底杭が開示されている。
【００１１】
特許文献７には、本体部を構成する既製コンクリート杭の下部先端に、拡底部にセットされる支柱として本体部を構成する既製コンクリート杭よりも縮径されて拡底部の高さに等しい既製コンクリート杭を設け、支柱の外側に支柱が拡底部にセットされた後に拡径して拡底部に配筋される鉄筋籠を配した複合杭において、鉄筋籠が拡径状態で拡底部に合致するように複数の鉄筋を折り曲がり自在にピン結合するとともに上下端をそれぞれブラケットを介して支柱の上部と支柱の下端に配設する先端プレートにピン結合し、支柱の押し込みにより鉄筋籠が放射方向に拡径されるよう鉄筋籠を拡径させる部材を支柱に設けた複合杭が開示されている。
【００１２】
特許文献８には、筒状の鉄筋籠と、ほぼＬ字状の補強鉄筋とを有し、補強鉄筋を、屈曲部を下方にして鉄筋籠の側方に突出するようにその上部を鉄筋籠の下部に接合し、かつ、屈曲部側を鉄筋籠の側方から所定の突出位置または所定の後退位置までを変位自在に構成した拡底杭の先端部補強構造が開示されている。
【００１３】
特許文献９には、鉄筋籠の内部に配置して鉄筋籠の先端部を展開させる鉄筋籠の展開具であって、中心軸と、連結棒と、中心軸に沿って移動可能な係留筒とからなり、鉄筋籠の先端と係留筒とを連結棒によって接続した鉄筋籠の展開具が開示されている。
【００１４】
【特許文献１】特開平１０−１８４２５７号公報
【特許文献２】特開平９−２２８７６９号公報
【特許文献３】特開平６−２３３１号公報
【特許文献４】特開平６−１０１２２６号公報
【特許文献５】特開平７−３７８３号公報
【特許文献６】特開平８−２４６４４６号公報
【特許文献７】特開平１０−１７６３２７号公報
【特許文献８】特開平１１−１０７２７４号公報
【特許文献９】特開２００２−１３８４７０号公報
【発明の開示】
【発明が解決しようとする課題】
【００１５】
上述したように、これらの特許文献３〜９に開示された方法は、いずれも、拡径した孔部に鉄筋籠を建て込むときは底部の拡径部が縮径し、底部に届いた段階で拡大器具等を用いて拡径部を拡径するものであるため、拡径のための工程を必要とするとともに、構造が複雑化するという問題がある。
本発明は、拡径のための特別な工程が不要で、構造も簡素化することのできる基礎杭用鉄筋籠およびそれを用いた拡底部拡大配筋方法を提供することを目的とする。
【課題を解決するための手段】
【００１６】
前記課題を解決するため、本発明の第１の構成は、直筒部主筋と直筒部フープ筋とからなる直筒部と、前記直筒部主筋の下端に上部蝶番によって回動自在に連結された拡開部主筋と、この拡開部主筋の中間部に結合され径が可変に形成された拡開部フープ筋と、前記直筒部の直下に位置する孔底接地連動リングと、この孔底接地連動リングの周上に所定間隔で回動自在かつ放射状に結合された開閉伝達棒と、この開閉伝達棒の上端部と前記拡開部主筋の下端近傍との間を回動自在に連結する下部蝶番とを備えたことを特徴とする基礎杭用鉄筋籠である。
この第１の構成では、孔底に着底する時の基礎杭用鉄筋籠全体の自重により荷重を加えられた拡開部が傘の骨組みの動線のように拡大することにより、拡底部分に自動的に配筋が行われる。
【００１７】
本発明の第２の構成は、第１の構成において、拡開部フープ筋は、拡開部主筋に固定されたフープ仮固定金具で拡開部フープ筋の径が拡縮自在に結合されている基礎杭用鉄筋籠である。
この第２の構成では、拡開部主筋が広がるのと連動して拡開部フープ筋も径を大きくすることができる。
【００１８】
本発明の第３の構成は、第１または第２の構成において、拡開部フープ筋の両開放端の重なり部がフープ筋ロック手段により移動自在に止着され、かつ、フープ筋ロック手段には、異形鉄筋で形成された拡開部フープ筋の凸条部に係合して縮径方向の移動を阻止する爪が形成されている基礎杭用鉄筋籠である。
この第３の構成では、一旦広がった拡開部フープ筋を爪で固定することにより、コンクリート打設時やその他の原因で鉄筋籠が上方に浮くような力が作用しても、拡開部フープ筋の径が縮まることがないため、拡開状態を安定に保持することができる。
【００１９】
本発明の第４の構成は、第１から第３の構成において、上部蝶番には、直筒部主筋と拡開部主筋との最大拡開角度を規制する角度固定手段を設けた基礎杭用鉄筋籠である。
この第４の構成では、角度固定手段を設けることで、設定した角度以上に拡開部が開くことがなく、設計通りの拡開部配筋を行うことができる。
【００２０】
本発明の第５の構成は、第１〜第４のいずれかの構成の基礎杭用鉄筋籠を用いた拡底部拡大配筋方法であって、予め拡底部分を形成した孔内に、基礎杭用鉄筋籠を拡開部を縮径した状態で、吊り下げ、孔底接地連動リングが孔底に着床したときに、基礎杭用鉄筋籠の自重が当該孔底接地連動リングに負荷されることにより上部蝶番と下部蝶番と開閉伝達棒の運動によって拡開部主筋および拡開部フープ筋を開かせ、拡開部主筋および拡開部フープ筋を拡底部分に配筋することを特徴とする拡底部拡大配筋方法である。
この第５の構成では、第１〜第４の構成の基礎杭用鉄筋籠を用いて、拡径のための特別な工程を要せず、拡底部に配筋を有する基礎杭が構築される。
【発明の効果】
【００２１】
本発明によれば、直筒部の下部に、孔底接地連動リングによって拡径する拡開部を設けたことにより、拡径のための特別な工程が不要で、構造も簡素化することのできる拡底部拡大配筋を行うことができ、基礎杭の強度を向上することができる。
拡開部フープ筋を、拡開部主筋に固定されたフープ仮固定金具で径が拡縮自在に結合したことにより、拡開部主筋が広がるのと連動して拡開部フープ筋も径を大きくすることができる。
【００２２】
拡開部フープ筋の両開放端の重なり部をフープ筋ロック手段により移動自在に止着し、かつ、フープ筋ロック手段に、異形鉄筋で形成された拡開部フープ筋の凸条部に係合して縮径方向の移動を阻止する爪を形成したので、一旦広がった拡開部フープ筋を爪で固定することにより、コンクリート打設時やその他の原因で鉄筋籠が上方に浮くような力が作用しても、拡開部フープ筋の径が縮まることがないため、拡開状態を安定に保持することができる。
また、上部蝶番に、直筒部主筋と拡開部主筋との最大拡開角度を規制する角度固定手段を設けたことにより設定した角度以上に拡開部が開くことがなく、設計通りの拡開部配筋を行うことができる。
【発明を実施するための最良の形態】
【００２３】
以下、本発明の実施の形態を図１〜図６を用いて説明する。
図１は本発明の実施の形態に係る基礎杭用鉄筋籠およびそれを用いた拡底部拡大配筋方法を示す工程図、図２は本実施の形態の基礎杭用鉄筋籠を用いて構築した拡底部の状態を示す断面図、図３〜図６は本実施の形態の基礎杭用鉄筋籠の各部の構成を示す要部拡大図である。
【００２４】
これらの図において、本実施の形態の基礎杭用鉄筋籠１０は、直筒部主筋１と、直筒部フープ筋２と、拡開部主筋１−Ｋと、直筒部主筋１と拡開部主筋１−Ｋとを回動自在に連結する上部蝶番３と、孔底接地連動リング４と、孔底接地リング４の周囲に放射状に連結された開閉伝達棒５と、開閉伝達棒５の上部と拡開部主筋１−Ｋの下部近傍とを回動自在に連結する下部蝶番３−Ｔと、拡開部フープ筋６と、フープ筋ロック金具７とを備えており、基礎杭用鉄筋籠１０の上部に取り付けられる吊り下げロープ８に吊り込みクレーンフック９を引っ掛けて吊り下げることで建て込み作業が行われる。
【００２５】
図３は拡開部主筋１−Ｋと拡開部フープ筋６との結合状態を示すもので、拡開部主筋１−Ｋと拡開部フープ筋６とは、フープ仮固定金具６ａにより所定間隔で移動可能に取り付けられている。フープ仮固定金具６ａには、拡開部フープ筋６の径よりも若干大きな径の輪が設けられていて、そこに拡開部フープ筋６が仮固定されている。フープ筋ロック金具７は、図４に示すように拡開部フープ筋６のリング状の両開放端を挿入して円形とするものであり、（ｂ）に示すように爪７ａが設けられており、異形鉄筋から成るフープ筋６に形成された凸条部に係合して、径が大きくなる方向には自由にフープ筋６が伸びるが、径が小さくなる方向には移動が阻止されるようにして戻りを防止している。
【００２６】
図５は、上部蝶番３の構成を示すもので、この上部蝶番３は、直筒部主筋１の下端を差し込む上部パイプ３ａと、拡開部主筋１−Ｋの上端を受ける下部パイプ３ｂと、拡開部主筋１−Ｋの最大拡開角度を規定する角度固定受け３ｃとを備えている。
【００２７】
図６は、下部蝶番３−Ｔの構成を示すもので、拡開部主筋１−Ｋの下部近傍に取り付けられ、ボルト３ｄとナット３ｅによって開閉伝達棒５の上部を回動自在に取り付けるようになっている。
【００２８】
以上の構成の基礎杭用鉄筋籠１０を用いた拡底部拡大配筋方法について説明する。
まず、図１（ａ）に示すように、地上で組み立てられた基礎杭用鉄筋籠１０を、拡開部を孔壁２０の径よりも縮径した状態で、吊り下げロープ８を用いてクレーンフック９で建て込む。孔底へ孔底接地連動リング４が接地すると、基礎杭用鉄筋籠１０の重量が孔底接地連動リング４に負荷され、開閉伝達棒５に伝達され、拡開部主筋１−Ｋを開くような力が作用する。これにより、下部蝶番３−Ｔおよび上部蝶番３を支点として拡開部主筋１−Ｋが開く。また、拡開部フープ筋６は径が大きくなるような力を受け、フープ筋ロック金具７に止められていた拡開部フープ筋６が移動する。この状態を図１（ｂ）に示す。最終的には、図１（ｃ）に示すように、予め規定された最大の拡開角度で孔底の拡径部に拡開部主筋１−Ｋ、拡径部フープ筋６が配置されることになる。なお、上部蝶番３の角度固定受け３ｃにより、拡開部主筋１−Ｋの最大拡開角度が規制されるので、それ以上開くことはない。また、フープ筋ロック金具７には爪７ａが設けられており、一旦拡開部フープ筋６が径が大きくなる方向に移動すると、異形鉄筋の凸部に係合するので、拡開部フープ筋６の戻り現象を抑えることができる。
【００２９】
この状態で生コンクリートを打設すると、図２の状態となる。なお、図２において、２２は拡底部分、２６は杭軸、２７は支持層、２８は拡底幅、３０は生コン被り厚、３１は傾斜角である。図７の無筋部分２９を有する従来例と比較すると、無筋部分にも配筋することができ、また拡底幅２８を大きくすることができ、さらに傾斜角３１も大きく取ることができる。
【産業上の利用可能性】
【００３０】
本発明は、拡径のための特別な工程が不要で、構造も簡素化することのできる基礎杭用鉄筋籠およびそれを用いた拡底部拡大配筋方法に利用することができる。
【図面の簡単な説明】
【００３１】
【図１】本発明の実施の形態に係る基礎杭用鉄筋籠およびそれを用いた拡底部拡大配筋方法を示す工程図である。
【図２】本実施の形態の基礎杭用鉄筋籠を用いて構築した拡底部の状態を示す断面図である。
【図３】拡開部主筋と拡開部フープ筋との結合状態を示す斜視図である。
【図４】フープ筋ロック金具を示すもので、（ａ）は要部正面図、（ｂ）はその拡大図である。
【図５】上部蝶番の正面図である。
【図６】下部蝶番を示すもので、（ａ）は斜視図、（ｂ）は正面図である。
【図７】従来の円筒状の鉄筋籠を建て込んだ拡底杭の底部の構造を示す断面図である。
【符号の説明】
【００３２】
１０  基礎杭用鉄筋籠
１  直筒部主筋
１−Ｋ  拡開部主筋
２  直筒部フープ筋
３  上部蝶番
３ａ  上部パイプ
３ｂ  下部パイプ
３ｃ  角度固定受け
３−Ｔ  下部蝶番
４  孔底接地連動リング
５  開閉伝達棒
６  拡開部フープ筋
６ａ  フープ仮固定金具
７  フープ筋ロック金具
７ａ  爪
８  吊り下げロープ
９  クレーンフック
２０  孔壁
【図１】
2005146577.tif 000003
【図２】
2005146577.tif 000004
【図３】
2005146577.tif 000005
【図４】
2005146577.tif 000006
【図５】
2005146577.tif 000007
【図６】
2005146577.tif 000008
【図７】
2005146577.tif 000009